(57)【要約】【課題】クライアント端末装置を介さずにプリント処理等の実行を指示する。【解決手段】複合機１のＣＰＵ１１１は、ＵＳＢメモリ２が装着された場合に、ＵＳＢメモリ２に格納された第１のファイル形式（ここでは、ＸＰＳ形式）のファイルを読み出し、ファイル記憶部１１２ａに格納するファイル読出部１１１ａと、ファイル選択部１１１ｃによって選択されたファイルに対して、処理選択部１１１ｄによって選択された処理を実行する処理実行部１１１ｅとを備えている。【選択図】図２
2007144794.tif 000002
【特許請求の範囲】
【請求項１】
プリント処理、ファクシミリ送信処理及びインターネットファクシミリ送信処理の少なくとも１の処理を実行可能に構成された画像形成装置であって、
識別情報が付与された第１のファイル形式のファイルが格納された記録媒体を着脱自在に構成され、前記記録媒体が装着された場合に、前記記録媒体に格納された第１のファイル形式のファイルを読み出す読出手段と、
前記読出手段によって読み出された第１のファイル形式のファイルに対して、前記処理を実行する処理実行手段とを備えることを特徴とする画像形成装置。
【請求項２】
前記記録媒体は、前記第１のファイル形式のファイルを２以上の所定個数だけ格納しており、
前記読出手段によって読み出された前記所定個数の第１のファイル形式のファイルにそれぞれ付与された識別情報を、外部から視認可能に表示する表示手段と、
前記表示手段により表示された前記所定個数の識別情報の中から、１の識別情報を選択する選択入力を受け付けて、前記処理実行手段に前記処理を実行させる対象となるファイルを選択するファイル選択手段とを備えることを特徴とする請求項１に記載の画像形成装置。
【請求項３】
前記記録媒体は、前記第１のファイル形式とは相違する第２のファイル形式のファイルを格納しており、
前記読出手段は、前記記録媒体に格納されたファイルの内、前記第１のファイル形式のファイルに限って読み出すことを特徴とする請求項１又は２に記載の画像形成装置。
【請求項４】
プリント処理、ファクシミリ送信処理及びインターネットファクシミリ送信処理の内、複数の処理を実行可能に構成され、
外部からの選択入力を受け付けて、受け付けた選択入力に基づいて前記複数の処理の中から１の処理を選択し、前記処理実行手段に対して、選択された１の処理を実行させる処理選択手段を備えることを特徴とする請求項１〜３のいずれかに記載の画像形成装置。
【請求項５】
前記記録媒体は、ＵＳＢメモリであって、
前記読出手段は、ＵＳＢメモリから前記第１のファイル形式のファイルを読み出し可能に構成されていることを特徴とする請求項１〜４のいずれかに記載の画像形成装置。
【発明の詳細な説明】
【技術分野】
【０００１】
本発明は、プリント処理、ファクシミリ送信処理及びインターネットファクシミリ送信処理の少なくとも１の処理を実行可能に構成された画像形成装置に関するものであり、より詳しくは、プリンタ、ファクシミリ装置、インターネットファクシミリ装置、及び、プリント処理、ファクシミリ送信処理及びインターネットファクシミリ送信処理の少なくとも１の処理を実行可能に構成された複合機に関するものである。
【背景技術】
【０００２】
従来、複数のクライアント端末装置（例えば、パーソナルコンピュータ）とＬＡＮ等を介して通信可能に接続されたネットワークプリンタに対してプリント処理を指示する場合には、クライアント端末装置からプリント処理する画像データ及びプリント条件を設定し、その設定条件と画像データとをネットワークプリンタに伝送する必要がある（特許文献１参照）。
【特許文献１】特開２００４−１１８３１３号公報
【発明の開示】
【発明が解決しようとする課題】
【０００３】
しかしながら、クライアント端末装置とネットワークプリンタとが離間した位置（例えば、異なるフロア）に配設されており、ネットワークプリンタの近傍にいるユーザにとって、いずれかのクライアント端末装置の位置まで移動することが煩雑である場合がある。
【０００４】
本発明は、かかる課題に鑑みてなされたものであり、クライアント端末装置を介さずにプリント処理等の実行を指示することの可能な画像形成装置を提供すること目的とする。
【課題を解決するための手段】
【０００５】
上記目的を達成するために、請求項１記載の画像形成装置は、プリント処理、ファクシミリ送信処理及びインターネットファクシミリ送信処理の少なくとも１の処理を実行可能に構成された画像形成装置であって、識別情報が付与された第１のファイル形式のファイルが格納された記録媒体を着脱自在に構成され、前記記録媒体が装着された場合に、前記記録媒体に格納された第１のファイル形式のファイルを読み出す読出手段と、前記読出手段によって読み出された第１のファイル形式のファイルに対して、前記処理を実行する処理実行手段とを備えることを特徴としている。
【０００６】
この構成によれば、識別情報が付与された第１のファイル形式のファイルが格納された記録媒体を着脱自在に構成され、読出手段によって、記録媒体が装着された場合に、記録媒体に格納された第１のファイル形式のファイルが読み出され、処理実行手段によって、読出手段により読み出された第１のファイル形式のファイルに対して、処理が実行される。
【０００７】
従って、記録媒体が装着された場合に、記録媒体に格納された第１のファイル形式のファイルが読み出され、読み出された第１のファイル形式のファイルに対して、処理が実行されるため、記録媒体を装着することにより（＝クライアント端末装置を介さずに）処理の実行が指示され得る。
【０００８】
更に、記録媒体を装着することにより（＝クライアント端末装置を介さずに）処理の実行が指示されるため、プリント開始時点から当該画像形成装置の近傍で他者を監視することが可能となり、機密文書等をプリントする場合に、機密情報がプリントされた記録紙が他者に視認されることによる情報の漏洩が確実に防止される。
【０００９】
請求項２記載の画像形成装置は、前記記録媒体が、前記第１のファイル形式のファイルを２以上の所定個数だけ格納しており、前記読出手段によって読み出された前記所定個数の第１のファイル形式のファイルにそれぞれ付与された識別情報を、外部から視認可能に表示する表示手段と、前記表示手段により表示された前記所定個数の識別情報の中から、１の識別情報を選択する選択入力を受け付けて、前記処理実行手段に前記処理を実行させる対象となるファイルを選択するファイル選択手段とを備えることを特徴としている。
【００１０】
この構成によれば、記録媒体に、第１のファイル形式のファイルが２以上の所定個数だけ格納されており、表示手段によって、読出手段により読み出された所定個数の第１のファイル形式のファイルにそれぞれ付与された識別情報が、外部から視認可能に表示される。そして、ファイル選択手段によって、表示手段により表示された所定個数の識別情報の中から、１の識別情報を選択する選択入力が受け付けられて、処理実行手段に処理を実行させる対象となるファイルが選択される。
【００１１】
従って、記録媒体に格納された所定個数の第１のファイル形式のファイルにそれぞれ付与された識別情報が、外部から視認可能に表示され、表示された所定個数の識別情報の中から、１の識別情報を選択する選択入力が受け付けられて、処理実行手段に処理を実行させる対象となるファイルが選択されるため、記録媒体を装着することにより（＝クライアント端末装置を介さずに）、記録媒体に格納された所定個数の第１のファイル形式のファイルから処理を実行させる対象となるファイルが選択され得る。
【００１２】
請求項３記載の画像形成装置は、前記記録媒体が、前記第１のファイル形式とは相違する第２のファイル形式のファイルを格納しており、前記読出手段が、前記記録媒体に格納されたファイルの内、前記第１のファイル形式のファイルに限って読み出すことを特徴としている。
【００１３】
この構成によれば、記録媒体に、第１のファイル形式とは相違する第２のファイル形式のファイルが格納されており、読出手段によって、記録媒体に格納されたファイルの内、第１のファイル形式のファイルに限って読み出される。
【００１４】
従って、第１のファイル形式とは相違する第２のファイル形式のファイルが格納されている場合でも、第１のファイル形式のファイルに限って読み出されるため、処理実行手段により第２のファイル形式のファイルを処理不可能な場合に、処理不可能なファイルが読み出されることが防止される。
【００１５】
請求項４記載の画像形成装置は、プリント処理、ファクシミリ送信処理及びインターネットファクシミリ送信処理の内、複数の処理を実行可能に構成され、外部からの選択入力を受け付けて、受け付けた選択入力に基づいて前記複数の処理の中から１の処理を選択し、前記処理実行手段に対して、選択された１の処理を実行させる処理選択手段を備えることを特徴としている。
【００１６】
この構成によれば、プリント処理、ファクシミリ送信処理及びインターネットファクシミリ送信処理の内、複数の処理を実行可能に構成され、処理選択手段によって、外部からの選択入力が受け付けられて、受け付けた選択入力に基づいて複数の処理の中から１の処理が選択され、選択された１の処理が処理実行手段により実行される。
【００１７】
従って、実行可能な複数の処理の中から１の処理が選択され、選択された１の処理が処理実行手段により実行されるため、記録媒体を装着することにより（＝クライアント端末装置を介さずに）、処理の選択が行われ得る。
【００１８】
請求項５記載の画像形成装置は、前記記録媒体が、ＵＳＢメモリであって、前記読出手段が、ＵＳＢメモリから前記第１のファイル形式のファイルを読み出し可能に構成されていることを特徴としている。
【００１９】
この構成によれば、記録媒体がＵＳＢメモリであって、読出手段がＵＳＢメモリから第１のファイル形式のファイルを読み出し可能に構成されているため、ＵＳＢメモリを装着することにより、処理の実行が指示され得る。
【００２０】
従って、処理するべき画像データ等のファイルを、携帯に便利で、且つ、記憶容量の大きく更にアクセス時間が短いという特徴を有するＵＳＢメモリに格納することが可能となり、ユーザの利便性が向上される。
【発明の効果】
【００２１】
請求項１に記載の画像形成装置によれば、記録媒体が装着された場合に、記録媒体に格納された第１のファイル形式のファイルが読み出され、読み出された第１のファイル形式のファイルに対して、処理が実行されるため、記録媒体を装着することにより（＝クライアント端末装置を介さずに）処理の実行を指示できる。
【００２２】
更に、記録媒体を装着することにより（＝クライアント端末装置を介さずに）処理の実行が指示されるため、プリント開始時点から当該画像形成装置の近傍で他者を監視することが可能となり、機密文書等をプリントする場合に、機密情報がプリントされた記録紙が他者に視認されることによる情報の漏洩を確実に防止できる。
【００２３】
請求項２に記載の画像形成装置によれば、記録媒体に格納された所定個数の第１のファイル形式のファイルにそれぞれ付与された識別情報が、外部から視認可能に表示され、表示された所定個数の識別情報の中から、１の識別情報を選択する選択入力が受け付けられて、処理実行手段に処理を実行させる対象となるファイルが選択されるため、記録媒体を装着することにより（＝クライアント端末装置を介さずに）、記録媒体に格納された所定個数の第１のファイル形式のファイルから処理を実行させる対象となるファイルを選択できる。
【００２４】
請求項３に記載の画像形成装置によれば、第１のファイル形式とは相違する第２のファイル形式のファイルが格納されている場合でも、第１のファイル形式のファイルに限って読み出されるため、処理実行手段により第２のファイル形式のファイルを処理不可能な場合に、処理不可能なファイルが読み出されることを防止できる。
【００２５】
請求項４に記載の画像形成装置によれば、実行可能な複数の処理の中から１の処理が選択され、選択された１の処理が処理実行手段により実行されるため、記録媒体を装着することにより（＝クライアント端末装置を介さずに）、処理の選択を行うことができる。
【００２６】
請求項５に記載の画像形成装置によれば、処理するべき画像データ等のファイルを、携帯に便利で、且つ、記憶容量の大きく更にアクセス時間が短いという特徴を有するＵＳＢメモリに格納することが可能となり、ユーザの利便性を向上できる。
【発明を実施するための最良の形態】
【００２７】
以下、本発明に係る複合機（本発明に係る画像形成装置の実施形態の一例）について図面に基づき説明する。本発明に係る複合機としては、原稿の画像データをＧ３ファクシミリ通信機能又はインターネットファクシミリ通信機能によって送受信すると共に、原稿の画像データをプリントするプリント機能を有するものを例に挙げて説明するが、これ以外のプリント処理、ファクシミリ送信処理及びインターネットファクシミリ送信処理の少なくとも１の処理を実行可能に構成された画像形成装置であっても本発明を適用することは可能である。
【００２８】
例えば、本発明に係る画像形成装置は、プリント処理を実行可能に構成されたネットワークプリンタ、ファクシミリ送信処理を実行可能に構成されたファクシミリ等である形態でもよい。
【００２９】
図１は、本発明に係る複合機の一例を示す構成図である。すなわち、複合機１は、ＣＰＵ（中央処理装置）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、画像メモリ１１４、モデム１１５、ＮＣＵ（Ｎｅｔｗｏｒｋ  Ｃｏｎｔｒｏｌ  Ｕｎｉｔ）１１６、コーデック１１７、読取部１１８、記録部１１９、操作部１２０、表示部１２１、ＵＳＢ（Ｕｎｉｖｅｒｓａｌ  Ｓｅｒｉａｌ  Ｂｕｓ）インターフェース１２２、及びＬＡＮインターフェース１２３を備えたものであって、各部１１１〜１２３は、バス１２４を介して通信可能に接続されている。
【００３０】
ＣＰＵ１１１は、ＲＯＭ１１３に格納された制御プログラムに従って、この複合機１を構成する各部１１２〜１２３を制御する制御手段として機能する。ＲＡＭ１１２は、ＣＰＵ１１１のワークエリア等として機能する。ＲＯＭ１１３は、前記制御プログラムを格納するものである。画像メモリ１１４（処理実行手段の一部に相当する）は、送受信した画像データ、読取部１１８で読み取った画像データ等を蓄積するものである。
【００３１】
モデム１１５（処理実行手段の一部に相当する）は、例えばＩＴＵ−Ｔ（国際電気通信連合）の勧告Ｖ．３４規格又はこれと同様のものに従った送受信データの変調及び復調を行うものである。ＮＣＵ１１６（処理実行手段の一部に相当する）は、電話回線を制御して電話をかけたり、切ったりする回線網制御装置であって、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆交換電話網）５１を介して、Ｇ３ファクシミリ装置５と通信可能に接続されている。コーデック１１７（処理実行手段の一部に相当する）は、画像データの符号化及び復号を行うものである。すなわち、読取部１１８により読み取った原稿の画像データを送信のためにＭＨ、ＭＲ方式等により符号化し、外部から受信した画像データを復号するものである。
【００３２】
読取部１１８は、原稿の画像データを読み取るものであり、例えば、ＣＣＤカラーラインセンサ、Ａ／Ｄコンバータ、画像処理回路等で構成されている。記録部１１９（処理実行手段の一部に相当する）は、受信した画像データ等を記録紙上に画像形成処理（印刷処理）を行うものである。例えば電子写真方式のものが適用される。操作部１２０（ファイル選択手段の一部及び処理選択手段の一部に相当する）は、ユーザが情報を入力する入力キー、タッチパネル等から構成され、ユーザによる各種の入力操作は、この操作部１２０を介して行われる。表示部１２１（表示手段の一部に相当する）は、例えば操作部１２０に並設されたＬＣＤ（Ｌｉｑｕｉｄ  Ｃｒｙｓｔａｌ  Ｄｉｓｐｌａｙ）等からなり、各種の画面情報を表示する表示手段として機能する。ＵＳＢインターフェース１２２（読出手段の一部に相当する）は、ＵＳＢメモリ２に格納された画像データ等を、複合機１から（ＣＰＵ１１１の指令により、ＲＡＭ１１２又は画像メモリ１１４に）読み出し可能にＵＳＢメモリ２を接続するものである。ＬＡＮインターフェース１２３（処理実行手段の一部に相当する）は、複合機１とＬＡＮ（Ｌｏｃａｌ  Ａｒｅａ  Ｎｅｔｗｏｒｋ）３１とを通信可能に接続するものである。
【００３３】
ＬＡＮ３１には、例えば、ユーザからの操作入力を受け付けるクライアント端末装置３が接続されると共に、ルータ４１及びインターネット４２を介してインターネットファクシミリ装置４が接続されている。
【００３４】
クライアント端末装置３は、例えば、パーソナルコンピュータ等からなり、マウス、キーボード等を介してユーザからの操作入力を受け付けて、ＬＡＮ３１を介して複合機１への操作入力を伝送すると共に、複合機１からＬＡＮ３１を介して画像データ等の種々の情報を受信して、モニタに表示するものである。
【００３５】
上記した構成を備える複合機１は、Ｇ３ファクシミリ通信機能及びインターネットファクシミリ通信機能を備え、Ｇ３ファクシミリ通信機能によって、ＰＳＴＮ５１を介してＧ３ファクシミリ装置５との間で画像データの送受信を行い、インターネットファクシミリ通信機能によって、ＬＡＮ３１及びインターネット４２を介してインターネットファクシミリ装置４との間で画像データの送受信を行うと共に、プリント機能によって、画像データを記録部１１９を介して記録紙上にプリントするものである。
【００３６】
図２は、本発明に係る複合機１の主要部の一例を示す機能構成図である。複合機１のＣＰＵ１１１は、機能的に、ファイル読出部１１１ａ（読出手段の一部に相当する）と、表示制御部１１１ｂ（表示手段の一部に相当する）、ファイル選択部１１１ｃ（ファイル選択手段の一部に相当する）と、処理選択部１１１ｄ（処理選択手段の一部に相当する）と、処理実行部１１１ｅ（処理実行手段の一部に相当する）とを備えている。また、複合機１のＲＡＭ１１２は、機能的に、ファイル記憶部１１２ａを備えている。
【００３７】
ここでは、ＣＰＵ１１１が、ＲＯＭ１１３等に予め格納された制御プログラムを読み出して実行することにより、ファイル読出部１１１ａ、表示制御部１１１ｂ、ファイル選択部１１１ｃ、処理選択部１１１ｄ、及び、処理実行部１１１ｅを含む機能部として機能すると共に、ＲＡＭ１１２を、ファイル記憶部１１２ａを含む機能部として機能させるものである。
【００３８】
次に、複合機１の各機能部について説明する。ファイル読出部１１１ａは、ＵＳＢメモリ２が装着された場合に、ＵＳＢインターフェース１２２を介して、ＵＳＢメモリ２に格納された第１のファイル形式（ここでは、ＸＰＳ（ＸＭＬ  Ｐａｐｅｒ  Ｓｐｅｃｉｆｉｃａｔｉｏｎ）形式）のファイルを読み出し、ファイル記憶部１１２ａに格納するものである。なお、ＵＳＢメモリ２には、ＸＰＳ形式のファイルが２以上の所定個数（ここでは、１０個）だけ格納されている。更に、ＵＳＢメモリ２には、ＸＰＳ形式以外のファイル形式（＝第２のファイル形式に相当する：例えば、ＪＰＧ形式、テキスト形式）のファイルも格納されているが、ファイル読出部１１１ａは、ＵＳＢメモリ２からＸＰＳ形式のファイルだけを読み出すものであり、ＸＰＳ形式以外のファイル形式のファイルは読み出さない。
【００３９】
ここで、ＸＰＳ形式は、Ｍｉｃｒｏｓｏｆｔ社が開発中の次期ＯＳ（Ｏｐｅｒａｔｉｎｇ  Ｓｙｓｔｅｍ）であるＷｉｎｄｏｗｓＶｉｓｔａ（登録商標）の標準ファイルフォーマットであって、ＷｉｎｄｏｗｓＶｉｓｔａがインストールされた装置（ここでは、複合機１）においては、如何なるアプリケーションソフトウェア（ブラウザ等）も介さずに、ファイルを開くことが可能とされている。従って、複合機１に、ＷｉｎｄｏｗｓＶｉｓｔａがインストールされている場合には、ＵＳＢメモリ２に格納されたＸＰＳ形式のファイルを読み出すためのアプリケーションソフトウェアをインストールする必要はない。
【００４０】
表示制御部１１１ｂは、ファイル読出部１１１ａによって読み出された所定個数（ここでは、１０個）のＸＰＳ形式のファイルにそれぞれ付与された識別情報（ここでは、ファイル名）を、表示部１２１のＬＣＤに、例えば、一覧表として表示するものである。
【００４１】
ファイル選択部１１１ｃは、表示部１２１のＬＣＤと一体に形成された操作部１２０のタッチパネルからのユーザによる選択入力を受け付けて、表示部１２１のＬＣＤに表示された１０個のファイル名に対応するファイルの中から、処理実行部１１１ｅに処理を実行させる対象となる１のファイルを選択するものである。
【００４２】
例えば、表示部１２１のＬＣＤに、ＵＳＢメモリ２に格納された１０個のＸＰＳ形式のファイルのファイル名と対応付けて、それぞれ、処理実行部１１１ｅによって実行される「プリント処理」、「ファクシミリ送信処理」及び「インターネットファクシミリ送信処理」を実行させる場合に押下されるボタンをＬＣＤに表示し、表示されたボタンの押下を操作部１２０のタッチパネルを介して受け付けるものである。この場合には、ファイルの選択と、処理選択部１１１ｄによって行われる処理の選択とが、同時に行われる。
【００４３】
処理選択部１１１ｄは、操作部１２０のタッチパネルを介してユーザからの選択入力を受け付けて、「プリント処理」、「ファクシミリ送信処理」及び「インターネットファクシミリ送信処理」の中から１の処理を選択し、選択された１の処理を処理実行部１１１ｅに実行させるものである。
【００４４】
処理実行部１１１ｅは、記録部１１９を介してプリント処理を実行するプリント部１１１ｆと、モデム１１５、ＮＣＵ１１６、コーデック１１７等を介してファクシミリ送信処理を実行するＦＡＸ部１１１ｇと、ＬＡＮインターフェース１２３を介してインターネットファクシミリ送信処理を実行するＩ−ＦＡＸ部１１１ｈとを備え、ファイル選択部１１１ｃによって選択されたファイルに対して、処理選択部１１１ｄによって選択された処理を実行するものである。
【００４５】
ファイル記憶部１１２ａは、ファイル読出部１１１ａによってＵＳＢメモリ２から読み出されたＸＰＳ形式のファイルを格納するものである。
【００４６】
図３は、複合機１の動作の一例を説明するフローチャートである。まず、ファイル読出部１１１ａによって、ＵＳＢメモリ２が装着されたか否かの判定が行われる（Ｓ１）。ＵＳＢメモリ２が装着されていないと判定された場合（Ｓ１でＮＯ）には、処理が待機状態とされる。ＵＳＢメモリ２が装着されていると判定された場合（Ｓ１でＹＥＳ）には、ファイル読出部１１１ａによって、ＵＳＢメモリ２に格納されたＸＰＳ形式のファイルが読み出され、ファイル記憶部１１２ａに格納される（Ｓ３）。
【００４７】
そして、表示制御部１１１ｂによって、ファイル読出部１１１ａによって読み出された所定個数（ここでは、１０個）のＸＰＳ形式のファイルにそれぞれ付与された識別情報（ここでは、ファイル名）が、表示部１２１のＬＣＤに、一覧表として表示される（Ｓ５）。つぎに、ファイル選択部１１１ｃによって、操作部１２０のタッチパネルからユーザによるファイルの選択入力が受け付けられたか否かの判定が行われる（Ｓ７）。ファイルの選択入力が受け付けられていないと判定された場合（Ｓ７でＮＯ）には、処理が待機状態とされる。ファイルの選択入力が受け付けられたと判定された場合（Ｓ７でＹＥＳ）には、処理選択部１１１ｄによって、操作部１２０のタッチパネルを介してユーザからの処理の選択入力が受け付けられたか否かの判定が行われる（Ｓ９）。
【００４８】
処理の選択入力が受け付けられていないと判定された場合（Ｓ９でＮＯ）には、処理が待機状態とされる。処理の選択入力が受け付けられたと判定された場合（Ｓ９でＹＥＳ）、処理実行部１１１ｅによって、ステップＳ７で選択されたファイルに対して、ステップＳ９で選択された処理が実行され（Ｓ１１）、処理が終了される。
【００４９】
このようにして、ＵＳＢメモリ２が装着された場合に、ＵＳＢメモリ２に格納された第１のファイル形式（ここでは、ＸＰＳ形式）のファイルが読み出され、読み出されたＸＰＳ形式のファイルに対して、処理が実行されるため、ＵＳＢメモリ２を装着することにより（＝クライアント端末装置３を介さずに）処理の実行が指示される。
【００５０】
また、ＵＳＢメモリ２を装着することにより（＝クライアント端末装置３を介さずに）処理の実行が指示されるため、プリント開始時点から当該複合機１の近傍で他者を監視することが可能となり、機密文書等をプリントする場合に、機密情報がプリントされた記録紙が他者に視認されることによる情報の漏洩が確実に防止される。
【００５１】
更に、ＵＳＢメモリ２に格納された所定個数（ここでは、１０個）のＸＰＳ形式のファイルにそれぞれ付与されたファイル名が、表示部１２１のＬＣＤに表示され、表示された所定個数（ここでは、１０個）のファイル名の中から、１のファイル名を選択する選択入力が受け付けられて、処理実行部１１１ｅに処理を実行させる対象となるファイルが選択されるため、ＵＳＢメモリ２を装着することにより（＝クライアント端末装置３を介さずに）、ＵＳＢメモリ２に格納された所定個数（ここでは、１０個）のＸＰＳ形式のファイルから処理を実行させる対象となるファイルが選択される。
【００５２】
加えて、ＸＰＳ形式とは相違する第２のファイル形式のファイルが格納されている場合でも、ＸＰＳ形式のファイルに限って読み出されるため、処理実行部１１１ｅにより第２のファイル形式のファイルを処理不可能な場合に、処理不可能なファイルが読み出されることが防止される。
【００５３】
また、実行可能な複数の処理（ここでは、「プリント処理」、「ファクシミリ送信処理」及び「インターネットファクシミリ送信処理」）の中から１の処理が選択され、選択された１の処理が処理実行部１１１ｅにより実行されるため、ＵＳＢメモリ２を装着することにより（＝クライアント端末装置３を介さずに）、処理の選択が行われる。
【００５４】
更に、処理するべき画像データ等のファイルを、携帯に便利で、且つ、記憶容量の大きいＵＳＢメモリ２に格納することが可能となり、ユーザの利便性が向上される。
【００５５】
なお、本発明は、上記実施形態に限定されるものではなく、以下の形態でもよい。
（Ａ）本実施形態においては、第１のファイル形式がＸＰＳ形式である場合について説明したが、その他のファイル形式である形態でもよい。例えば、第１のファイル形式がＪＰＧ形式、テキスト形式等の特定の形式である形態でもよい。ただし、これらの場合には、複合機１に、第１のファイル形式のファイルを開くためのアプリケーションソフトウェアをインストールする必要がある。
【００５６】
（Ｂ）本実施形態においては、複合機１に装着される記録媒体がＵＳＢメモリ２である場合について説明したが、その他の種類の記録媒体である形態でもよい。例えば、ＣＤ、ＤＶＤ等である形態でもよい。この場合には、複合機１がＵＳＢインターフェース１２２に換えて、ＣＤドライブ、ＤＶＤドライブを備える必要がある。
【００５７】
（Ｃ）本実施形態においては、ファイル選択部１１１ｃが、タッチパネルからのユーザによる選択入力を受け付けて１のファイルを選択する場合について説明したが、その他の方法により選択入力を受け付ける形態でもよい。例えば、ＵＳＢメモリ２に格納されたファイル毎に所定のルールに従って（例えば読み出し順に）所定の番号が付与され、ユーザからの押下を受け付けて前記所定の番号に対応するキーが設定されている形態でもよい。
【図面の簡単な説明】
【００５８】
【図１】本発明に係る複合機の一例を示す構成図である。
【図２】本発明に係る複合機の主要部の一例を示す機能構成図である。
【図３】複合機の動作の一例を説明するフローチャートである。
【符号の説明】
【００５９】
１  複合機
１１１  ＣＰＵ
１１１ａ  ファイル読出部
１１１ｂ  表示制御部
１１１ｃ  ファイル選択部
１１１ｄ  処理選択部
１１１ｅ  処理実行部
１１１ｆ  プリント部
１１１ｇ  ＦＡＸ部
１１１ｈ  Ｉ−ＦＡＸ部
１１２  ＲＡＭ
１１２ａ  ファイル記憶部
【図１】
2007144794.tif 000003
【図２】
2007144794.tif 000004
【図３】
2007144794.tif 000005